(57)【要約】【課題】子供の足の成長に影響がでなく、かつ安全に上履きを使用できる上履き用インソールを得る。【解決手段】  最下層２の部材と、中間層３の部材と、表層部材７と、中間層３の部材と最下層２の部材との間に、樹脂又は樹脂による含浸が施されて踵部１２を除いて中足部９の中央からヒールカップ部Ｋｉに渡って圧着され施された芯材６とで多層の上履き用インソール１を生成する。【選択図】図５
2010274107.tif 000002
【特許請求の範囲】
【請求項１】
最下層の部材と、中間層の部材と、表層部材と、前記中間層の部材と最下層の部材との間に施された芯材とでヒールカップ部を形成した多層構造の上履き用インソールであって、
最下層の部材が中足部から踵部までの範囲を被う形状の比較的硬度のある弾性体で、該範囲は前記表層部材及び中間層の部材の中足部から後足部に対応した形状であり、
前記最下層の部材と前記中間層との間に施された前記芯材は、
樹脂又は樹脂による含浸が施されて、前記踵部を除いて前記中足部の中央からコーナカップ部に渡って圧着され、
前記最下層の部材及び中間層の部材は、
足裏の土踏まずの形状に合わせた凸形状を有して形成され、踵部の中央が前記中間層の
部材の前足部の厚みと同程度にされ、中足部の両側から踵部周囲に渡ってコーナカップ部が形成され
ていることを特徴とする上履き用インソール。
【請求項２】
前記表層部材は、天然皮革、人工皮革或いは布材であることを特徴とする請求項１記載の上履き用インソール。
【請求項３】
前記踵部のヒールカップ部の外側は、
前記最下層の部材と中間層の部材とで、ほぼ垂直に形成していることを特徴とする請求項１又は２記載の上履き用インソール。
【請求項４】
前記最下層の部材と中間層の部材とで形成する前記踵部の中央の厚さは、約２〜４ｍｍ程度であり、
前記ヒールカップ部の踵部の高さは、１６ｍｍ〜２３ｍｍ程度であり、
横アーチ部は５ｍｍ〜１２ｍｍ程度であり、
外側縦アーチ部は１３ｍｍ〜２２ｍｍ程度であり、
内側縦アーチ部は１５ｍｍ〜２３ｍｍ程度であることを特徴とする請求項１、２又は３
記載の上履き用インソール。
【請求項５】
足のサイズが１５ｃｍ〜１６ｃｍのＳサイズの場合は、
前記横アーチ部の高さが５〜９ｍｍ程度で踵部のヒールカップ部の高さは１６〜２０ｍｍ程度であり、外側縦アーチ部の高さは１３〜１７ｍｍ程度で内側縦アーチ部は１５〜１９ｍｍ程度であり、
１７ｃｍ〜１８ｃｍのＭサイズの場合は、
前記横アーチ部の高さが６〜１０ｍｍ程度で踵部のヒールカップ部の高さは１７〜２１ｍｍ程度であり、外側縦アーチ部の高さは１６〜２０ｍｍ程度で内側縦アーチ部の高さは１５〜１９ｍｍ程度であり、
１９ｃｍ〜２１ｃｍのＬサイズの場合は、
前記横アーチ部の高さが８〜１２ｍｍ程度で踵部のヒールカップ部の高さは１９〜２３ｍｍ程度であり、外側縦アーチ部の高さは１８〜２２ｍｍ程度であり、内側縦アーチ部の高さは１９〜２３ｍｍ程度であることを特徴とする請求項４記載の上履き用インソール。
【発明の詳細な説明】
【技術分野】
【０００１】
本発明は、学校、幼稚園、病院等で使用される上履きに使用されるインソールに関する。
【背景技術】
【０００２】
例えば、幼稚園、保育園、小学校、中学校等では上履き（ズック）が使用される。
【０００３】
図２０は足のトラブルと子供の足についての父母の調査結果を説明する説明図である。
【０００４】
図２０（ａ）は父母の足のトラブルについての調査結果を示したもので、足のトラブルを４２％の方が経験していることを示している。図２０（ｂ）は子供の足のサイズの認識調査であり、父母の４７％が子供の足のサイズを知っていることを示す。
【０００５】
図２０（ｃ）は、子供の足の成長についての父母の意識調査結果であり、父母の４７％が子供の足について気にしていることを示している。
【０００６】
図２１は子供の上履きについての父母の意識調査結果を説明する説明図である。図２１（ａ）に示すように上履きの９９％が指定上履きである。そして、図２１（ｂ）は９１％の父母が上履きについて不満はないと回答している。
【０００７】
このような調査結果から判断するに、我が国の父母は子供の足についての認識が低く、足は全体重を支える重要な部位であり、成長期に履き物が直接的に足の骨格の成長に影響を及ぼすということに気付いていないと思われる。
【０００８】
子供の足骨格の成長において、その骨の数は、出生時から２歳程度までは成人の半分程度であり、８〜１０歳程度に至り初めて骨の数は全て出現する。しかし、まだ骨及び骨格は未熟で完成されていない。このため、欧米では、子供の足骨格の成長を確認するために、小児検診の項目に、足の診断が組み入れられている。
【０００９】
しかし、我が国ではこうした足に関する小児検診の診断を組み入れてはいない。このようなわが国の実情も影響して、子供の成長期に履物が直接的に足の骨格の成長に影響を及ぼすということを認識していないと思われる。
【００１０】
一方、近年は靴用の中敷き（インソールともいう）が使用される傾向にある。靴用中敷きは、足の基本骨格を構成する３つのアーチ、すなわち、横アーチ、内側縦アーチ、外側縦アーチをサポートする横アーチパッド、内側縦アーチパッド、外側縦アーチパッドを一体型にした靴中敷きである（特許文献１）。
【先行技術文献】
【特許文献】
【００１１】
【特許文献１】特開平９−２２４７０３号公報
【発明の概要】
【発明が解決しようとする課題】
【００１２】
しかしながら、幼稚園、保育園、小学校、中学校等では、殆どの時間帯を、底がゴム皮１枚で布切れ１枚で足を覆う構造の上履き（ズック）をはいて過ごしているにもかかわらず、靴用中敷きが使用されることは稀である。これは、子供の足の成長過程に対して大人が無関心であることも原因の一つである。
【００１３】
また、子供は直に成長するので、保護者は大きめの上履きを購入して子供に使用させるのが一般的である。
【００１４】
このため、足がぶかぶかで、かつ布一枚で覆う構造であるから不安定である。従って、成長期の子供の足の骨格に影響を及ぼしたり、危険である。
【００１５】
本発明は、前述の課題を鑑みてなされたもので、子供の健やかな足の成長を促し、かつ
安全に上履きを使用できる上履き用インソールを得ることを目的とする。
【課題を解決するための手段】
【００１６】
本発明は、最下層の部材と、中間層の部材と、表層部材と、前記中間層の部材と最下層
の部材との間に施された芯材とでコーナカップ部を形成した多層構造の上履き用インソールである。
【００１７】
最下層の部材が足の中足部から足の後足部までを被う比較的硬度のある弾性体で、該範囲は前記表層部材及び中間層の部材の足の中足部から後足部に対応した形状であり、
前記最下層の部材と前記中間層との間に施された前記芯材は、
樹脂又は樹脂による含浸が施されて、踵部を除いて前記中足部からコーナカップ部に渡って圧着され、
前記最下層の部材及び中間層の部材は、
足裏の土踏まずの形状に合わせた凸形状を有して形成され、踵部の中央が前記中間層の部材の前足部の厚みと同程度にされ、中足部の両側から踵部周囲に渡ってコーナカップ部が形成されていることを要旨とする。
【発明の効果】
【００１８】
以上のように本発明によれば、上履き踵部の中央の厚みが薄く、また踵の周囲から中足部の両側にコーナカップ部Ｋｉが施され、かつコーナカップ部Ｋｉと中足部の中央から後足部の踵部１２を除いた部分に樹脂又は樹脂による含浸を施した芯材が中間層と最下層の間に設けられているので、コーナカップ部Ｋｉのカップ形状保持力が強化されることになるため足が安定する。
【００１９】
従って、子供の健やかな足の成長を促し、かつ安全に上履きを使用できる。
【００２０】
また、樹脂又は樹脂による含浸が施された芯材は、踵部の中央には施されていないので、踵の足当りがソフトになり踵が痛くなることはない。
【図面の簡単な説明】
【００２１】
【図１】本実施の形態の上履き用インソールの斜視図である。
【図２】Ｓサイズ上履き用インソールを説明する説明図である。
【図３】Ｓサイズ上履き用インソールを説明する説明図である。
【図４】Ｓサイズ上履き用インソールの上面図である。
【図５】図４のａ−ａ断面図である。
【図６】芯材の説明図である。
【図７】Ｓサイズ上履き用インソールの詳細を説明する説明図である。
【図８】Ｓサイズ上履き用インソール１ａに子供が足を置いたときの上面図である。
【図９】Ｍサイズ上履き用インソール１ｂを説明する説明図である。
【図１０】Ｍサイズ上履き用インソール１ｂに子供が足を置いたときの上面図である。
【図１１】Ｌサイズ上履き用インソール１ｃを説明する説明図である。
【図１２】Ｌサイズ上履き用インソール１ｃに子供が足を置いたときの上面図である。
【図１３】他の実施の形態の上履き用インソールの斜視図である。
【図１４】他の実施の形態のＳサイズ上履き用インソール１ｅ（左足）を説明する説明図である。
【図１５】他の実施の形態のＭサイズ上履き用インソール１ｆ（左足）を説明する説明図である。
【図１６】他の実施の形態のＬサイズ上履き用インソール１ｇ（左足）を説明する説明図である。
【図１７】上履き用インソールを上履きに使用した場合の効果を説明する説明図である。
【図１８】上履き用インソールを上履きに使用した場合の効果を説明する説明図である。
【図１９】履き心地の調査結果を説明する説明図である。
【図２０】足のトラブルと子供の足についての父母の調査結果を説明する説明図である。
【図２１】上履きに対しての意識調査の結果を説明する説明図である。
【発明を実施するための形態】
【００２２】
上履きのサイズ毎に、１５ｃｍ〜１６ｃｍ（Ｓサイズ）、１７ｃｍ〜１８ｃｍ（Ｍサイズ）、１９〜２１ｃｍ（Ｌサイズ）を一例として説明する。
【００２３】
図１は本実施の形態の上履き用インソールの斜視図である。図１に示すように、上履き用インソール１は、ウレタン素材の最下層２（斜線部）と、このウレタン素材より硬度が少し低いウレタン素材の中間層３と、最下層２と中間層３との間に設けた樹脂（スチレン又はクロロプレン；アイオノマー又はＡＢＳ樹脂を含む）若しくは樹脂が施された芯材６と、表層布材７とを熱圧着形成している。そして、前足部８を除いて、中足部９及び後足部１０の周囲に渡ってコーナカップ部Ｋｉ（側面側はコーナカップ部ＫｂとＫｃ、踵部はヒールカップ部Ｋａ）を形成している。
【００２４】
但し、踵部１２は上履きの底に踵がほぼ水平になるように大きな窪みにされて、かつ芯材６は踵部１２には施されていない。
【００２５】
つまり、上履きに本実施の形態の上履き用インソール１を用いると、踵部１２が深く、かつコーナカップ部Ｋｉが踵部１２の周囲から中足部９に設けられているので足が安定し、また踵部１２には芯材６が施されていないので、踵の足当りがソフトになり痛くなることはない。
【００２６】
さらに、図１に示すように、横アーチラインＡｂを形成させるための凸部Ｃ１３（以下横アーチ部Ｃ１３）と、外側縦アーチラインＡａを形成させるための凸部Ｃ１２（以下外側縦アーチ部Ｃ１２）と、内側縦アーチラインＡｃを形成するための凸部Ｃ１１（以下内側縦アーチ部Ｃ１１）とを形成している。
【００２７】
図２及び図３は１５ｃｍ〜１６ｃｍ用の上履き用インソール（以下Ｓサイズ上履き用インソールという）を説明する説明図である。
【００２８】
図２（ａ）はＳサイズ上履き用インソール１ａの平面図であり、図２（ｂ）は側面図である。また、図２（ｃ）はＣ１３の厚みを説明するための拡大図である。
【００２９】
図３（ａ）は斜視図である。図３（ｂ）は図３（ａ）のＡ矢視図である。
【００３０】
これらの図に示すように、内側に近づくにつれて凸部が次第に高くなり（図３（ａ）、図３（ｂ）参照）、踵部１２は足を安定させるために低くなっている。またコーナカップ部Ｋｉが前足部８を除いて周囲に形成されている。また、図２（ｂ）に示すように、ヒールカップＫａの外側は大きな丸みが施されないで立ち上がった形にされている。これは、学校等で履かれる上履きは踵に丸みを形成しないで作製されているためである。
【００３１】
さらに、図２（ｂ）に示すように、横アーチ部Ｃ１３の最大高さは中間層３の先端部の厚み程度の高さから約４〜８（好ましくは６ｍｍ）ｍｍ程度であり、コーナカップＫｂは踵部１２の底から約１４〜１８（好ましくは１６ｍｍ）ｍｍ程度にされている。
【００３２】
図４はＳサイズ上履き用インソールの上面図であり、図５は図４のａ−ａ断面図である。但し、図４は心材６および中間層３を強調して示しており、実際は図５に示すように最下層２の上に中間層３が形成されている。
図４及び図５に示すようにＳサイズ上履き用インソール１ａは、中足部９の中央ｄｉ当たりから踵部１２を除いて後足部１０の周囲のヒールカップＫａまでに芯材６を施している。図５に示すように、この芯材６は、中間層３と最下層２との間に熱圧着されている。
【００３３】
そして、この芯材６は図６に示すようにして形成されている。芯材６は例えば図６（ａ）、又は図６（ｂ）のようにして形成している。
【００３４】
例えば、図６（ａ）に示すように、布（横糸６ａ、縦糸６ｂとを絡ませている）の樹脂６ｃ（スチレン又はクロロプレンを含む）を含浸させて、ある程度の硬さと形状保持力を持たせている。
【００３５】
また、図６（ｂ）は、布を用いないでＡＢＳ樹脂で形成している例を示している。
【００３６】
このような芯材６を用いることによってコーナカップ部Ｋｉが形よくある程度の硬さと形状保持力をもって成型される。
【００３７】
図７はＳサイズ上履き用インソールの詳細を説明する説明図である。図７（ａ）は上面図である。図７（ｂ）は側面図である。図７（ａ）に示すように芯材６を中間層３と最下層２との間に施して（踵部１２を除く）いるので、その芯材６のエリアがすなわち樹脂による強化エリアとなる。
なお、図７（ａ）は芯材６が形成する強化エリアを強調するために強化エリアを斜線で示している。
【００３８】
また、図７（ａ）に示すように、強化エリアは踵部１２のヒールカップ部ｋａの起点ＫＡ（基準にした点）から約４５〜８０（好ましくは７０ｍｍ）ｍｍとしている。なお、図７（ａ）の〇印は、内側縦アーチ部Ｃ１１、踵部１２のヒールカップ部Ｋａ、横アーチ部Ｃ１３、外側縦アーチ部Ｃ１２の最も高い点を示し、それぞれを起点と称した。
【００３９】
そして、図７（ｂ）に示すように、踵部１２のヒールカップ部Ｋａの高さが約１６〜２０（好ましくは１８ｍｍ）ｍｍ程度であり、踵部１２の厚みが約２〜４（好ましくは３ｍｍ）ｍｍ程度としている。また、横アーチ部Ｃ１３の起点４の高さが約５〜９（好ましくは７ｍｍ）ｍｍ程度で、外側縦アーチ部Ｃ１２の起点５の高さが約１５〜１９（好ましくは１７ｍｍ）ｍｍ程度で、内側縦アーチ部Ｃ１１の起点１１の高さが約１３〜１７（好ましくは１５ｍｍ）ｍｍ程度であることを示している。
【００４０】
図８はＳサイズ上履き用インソール１ａに子供が足を置いたときの上面図（右足）である。但し図８は骨格も記載している。図８に示すように、横アーチ部Ｃ１３と、内側縦アーチ部Ｃ１１とからなる凸部は、第１中足骨２０の第１中足骨骨頭２１に近い部分を通り、第２中足骨２２と第２中足骨骨頭２４の間を通り、第３中足骨２３の先端を斜めに通って第３中足骨の中央を通り第３中足骨の骨底を斜めに通って、第１楔状骨３２の距骨よりの端を通って内側縁に至る。
【００４１】
そして、外側縦アーチ部Ｃ１２は、第５中足骨骨底付近の外側縁から立方骨３５の当該インソールの外側となる角部を通って外側の縁に至る。
【００４２】
また、含浸布材６は、踵骨３３及び距骨３０の一部を除いた丸型の開口を有して中足部９及びコーナカップ部Ｋｉに施されている。
【００４３】
図９はＭサイズ上履き用インソール１ｂを説明する説明図である。
【００４４】
図９（ａ）は上面図である。図９（ｂ）は側面図である。図９（ａ）に示すように芯材６を中間層３と最下層２との間に施して（踵部１２を除く）いるので、その芯材６のエリアがすなわち樹脂による強化エリアとなる。
なお、図９（ａ）は芯材６が形成する強化エリアを強調するために強化エリアを斜線で示している。
【００４５】
また、図９（ａ）に示すように、強化エリアは踵部１２のヒールカップ部Ｋａの起点ＫＡから約４５〜８０（好ましくは７０ｍｍ）ｍｍとしている。また、図９（ｂ）に示すように、踵部１２のヒールカップ部Ｋａの高さが約１７〜２１（好ましくは１９ｍｍ）ｍｍ程度であり、踵部１２の厚みが約２〜４（好ましくは３ｍｍ）ｍｍ程度としている。
また、横アーチ部Ｃ１３の起点４の高さが約６〜１０（好ましくは８ｍｍ）ｍｍ程度で、外側縦アーチ部Ｃ１２の起点５の高さが約１６〜２０（好ましくは１８ｍｍ）ｍｍ程度で、内側縦アーチ部Ｃ１１の起点１１の高さが約１５〜１９（好ましくは１７ｍｍ）ｍｍ程度であることを示している。
【００４６】
図１０はＭサイズ上履き用インソール１ｂに子供が足を置いたときの上面図である。但し図１０は骨格を記載している。図１０に示すように、横アーチ部Ｃ１３と、内側縦アーチ部Ｃ１１とからなる凸部は、第１中足骨２０の第１中足骨骨頭２１に近い部分を通り、第２中足骨２２と第２中足骨骨頭２４の間を通り、第３中足骨２３の第３中足骨骨頭２５の端を通って第４中足骨２６の中央付近を通って第３中足骨２３の端を斜めに通って、第２楔状骨２８の端を斜めに通って、舟状骨２９の中央を斜めに通って本インソールの内側縁に至る。
【００４７】
そして、外側縦アーチ部Ｃ１２は、第５中足骨骨底付近の外側縁から立方骨３５の当該インソールの外側となる角部を通って外側の縁に至る。
【００４８】
また、芯材６は、踵骨３３あたりに丸型の開開を有して中足部９及びコーナカップ部Ｋｉに施されている。
【００４９】
図１１はＬサイズ上履き用インソール１ｃを説明する説明図である。
【００５０】
図１１（ａ）は上面図である。図１１（ｂ）は側面図である。図１１（ａ）に示すように芯材６を中間層３と最下層２との間に施して（踵部１２を除く）いるので、その芯材６のエリアがすなわち樹脂による強化エリアとなる。
なお、図１１は芯材６が形成する強化エリアを強調するために強化エリアを斜線で示している。
【００５１】
また、図１１（ａ）に示すように、強化エリアは踵部１２のヒールカップＫａの起点ＫＡから約４５〜８０（好ましくは７０ｍｍ）ｍｍとしている。また、図１１（ｂ）に示すように、踵部１２のヒールカップ部Ｋａの高さが約１９〜２３（好ましくは２１ｍｍ）ｍｍ程度であり、踵部１２の厚みが約２〜４（好ましくは３ｍｍ）ｍｍ程度としている。また、横アーチ部Ｃ１３の起点４の高さが約８〜１２（好ましくは１０ｍｍ）ｍｍ程度で、外側縦アーチ部Ｃ１２の起点５の高さが約１８〜２２（好ましくは２０ｍｍ）ｍｍ程度であり、内側縦アーチ部Ｃ１１の起点１１の高さが約１９〜２３（好ましくは２１ｍｍ）ｍｍ程度であることを示している。
【００５２】
図１２はＬサイズ上履き用インソール１ｃに子供が足を置いたときの上面図である。但し図１２は骨格を記載している。図１２に示すように、横アーチ部Ｃ１３と、内側縦アーチ部Ｃ１１とからなる凸部は、子供の足が成長したことにより、第１中足骨２０の中央部、第２中足骨２２の第２中足骨骨頭２４の近くを通り、第３中足骨２３の第３中足骨骨頭２５の近くを通って第４中足骨２６の中央付近を通って第３中足骨２３の骨底近くを斜めに通って、第２楔状骨２８の角を斜めに通って、舟状骨２９の中央を斜めに通って本インソールの内側縁に至る。
【００５３】
そして、外側縦アーチ部Ｃ１２は、第５中足骨骨底付近の外側縁から立方骨３５側の踵骨３３に対向する当該インソールの外側に設けられる。
【００５４】
また、芯材６は、踵骨３３及び距骨３０の一部を除いた丸型の開口を有して中足部９及びコーナカップ部Ｋｉに施されている。
【００５５】
すなわち、Ｌサイズ用は子供の足の骨格が完成してアーチ部がしっかりと形成されてきているので、凸部の高さを高くしていると共に、コーナカップ部Ｋｉも高くしている。但し、踵部の高さは足の安定を重要視するのでＳサイズ、Ｍサイズ、Ｌサイズとも約２〜４（好ましくは２ｍｍ）ｍｍとしている。
＜他の実施の形態＞
図１３は他の実施の形態の上履き用インソールの斜視図である。図１３に示すように、横アーチ部Ｃ１３の凸部（比較的出ている部分）は、横アーチラインＡｂを超えないように形成されている。
本実施の形態では左足用を例にして説明する。
図１４はＳサイズ上履き用インソール１ｅに子供が足を置いたときの上面図である（左足）。但し図１４は骨格も記載している。また、凸部を強調して説明する。
図１４に示すように、横アーチ部Ｃ１３の凸部は、第１中足骨２０の骨底（左角）を通って、骨端部の中央、第１楔状骨３２の左上を通って、第３中足骨２３の骨底付近を通って、第４中足骨２６の中央付近を通って、第３中足骨骨頭２５及び第２中足骨骨頭２４より少し下を通って、第１中足骨２０の骨底（左角）に至る。
すなわち、横アーチ部Ｃ１３の凸部（比較的出ている部分）は、横アーチラインＡｂを超えないように形成されている。
さらに、内側縦アーチ部Ｃ１１は、第１中足骨２０の第１中足骨骨頭２１に近い部分を斜めに通り、第２中足骨２２と骨端部との間付近を通り、第１楔状骨３２の距骨よりの端を通って内側縁に至る。
また、外側縦アーチ部Ｃ１２は、第５中足骨骨底付近の外側縁から立方骨３５の当該インソールの外側となる角部を通って外側の縁に至る。
図１５はＭサイズ上履き用インソール１ｆに子供が足を置いたときの上面図である（左足）。但し、図１５は骨格を記載している。凸部を強調して説明する。
図１５に示すように、横アーチ部Ｃ１３の凸部は、第１中足骨２０の骨底（左角：Ｓサイズより小さな領域）及び骨端部の中央（やや第２中足骨２２側）を通って、第１楔状骨３２の左上を通って、第２楔状骨２８及び第２楔状骨３４の中央付近を通って第４中足骨２６の骨底右側付近を通って、第４中足骨２６の中央付近を通って、第３中足骨骨頭２５及び第２中足骨骨頭２４より少し下（Ｓサイズより下）を通って、第１中足骨２０の骨底（左角）に至る。
すなわち、横アーチ部Ｃ１３の凸部（比較的出ている部分）は、Ｓサイズよりも横アーチラインＡｂを超えないように形成されている。
さらに、内側縦アーチ部Ｃ１１は、第１中足骨２０の第１中足骨骨頭２１に近い部分を斜めに通り、第２中足骨２２と骨端部との間付近（Ｓサイズより第２中足骨２２側）を通り、第１楔状骨３２の距骨よりの端を通って内側縁に至る。
また、外側縦アーチ部Ｃ１２は、第５中足骨骨底付近の外側縁から立方骨３５の当該インソールの外側となる角部を通って外側の縁に至る。
図１６はＬサイズ上履き用インソール１ｇに子供が足を置いたときの上面図である（左足）。但し、図１６は骨格を記載している。
図１６に示すように、横アーチ部Ｃ１３の凸部は、第１中足骨２０の骨底（左角：Ｍサイズより内側）を通って、骨端部の中央付近（Ｍサイズより内側）、第１楔状骨３２の左上（Ｍサイズより第２中足骨側）を通って、第２楔状骨２８及び第３楔状骨３４を通って、第４中足骨２６の中央付近を通って、第３中足骨骨頭２５及び第２中足骨骨頭２４より少し下を通って、第１中足骨２０の骨底（左角）に至る。
すなわち、横アーチ部Ｃ１３の凸部（比較的出ている部分）は、横アーチラインＡｂを超えないように形成されている。
さらに、内側縦アーチ部Ｃ１１は、第１中足骨２０の第１中足骨骨頭２１に近い部分を斜めに通り、第２中足骨２２と骨端部との間付近を通り、第１楔状骨３２と第２楔状骨２８との間付近を斜めに内側縁に至る。
そして、外側縦アーチ部Ｃ１２は、第５中足骨骨底付近の外側縁から立方骨３５側の踵骨３３に対向する当該インソールの外側に設けられる。
【００５６】
（効果の説明）
上記の上履き用インソールを上履きに使用した場合の効果を図１７及び図１８を用いて説明する。
【００５７】
図１７（ａ）は上履きと足裏の接触面積を説明する説明図であり、インソール無しでは足裏との接触面積が低下しているが、インソール有りの場合は接触面積が増加している。
【００５８】
この様子を足裏の画像で示したのが図１７（ｂ）であり、上がインソール無しであり、下がインソール有りである。図１７（ｂ）に示すように、本インソールを上履きに使用すると接触面積が増えしっかりとサポートできている。
【００５９】
そして、図１８は本インソールを使用したときと使用しないときの状態を荷重で説明する説明図である。
【００６０】
図１８（ａ）に示したように、インソール無しでは特に踵に荷重がかかり、インソール有りでは荷重が分散し踵の荷重が低減している。この様子を図１８（ｂ）に立体的に示している。高いピークが荷重の量を示している。
【００６１】
図１９は上記の上履き用インソールを上履きに使用した場合の、履き心地の調査結果を説明する説明図である。図１９（ａ）に示すように対象者が子供であるのでわからないが３２％であったが、約６割は良かったと回答があり、また図１９（ｂ）に示すように、「良かった」とする内容の調査結果からふかふかして足裏にフィットしている傾向が強く、足のアーチをサポートして衝撃を和らげている結果が得られた。
【００６２】
なお、上記実施の形態では子供用として説明したが介護センターや、病院等で大人が履いてもよい。大人の場合はアーチが完成しているので凸部を高くしたり、またコーナ部を高くしたりすることが望ましい。
【符号の説明】
【００６３】
１ａ  Ｓサイズ上履き用インソール
２  最下層
３  中間層
６  強化エリアの芯材
７  表層布材
１２  踵部
２０  第１中足骨
２１  第１中足骨骨頭
２２  第２中足骨
２３  第３中足骨
２４  第２中足骨骨頭
２５  第３中足骨骨頭
２６  第４中足骨
【図１】
2010274107.tif 000003
【図２】
2010274107.tif 000004
【図３】
2010274107.tif 000005
【図４】
2010274107.tif 000006
【図５】
2010274107.tif 000007
【図６】
2010274107.tif 000008
【図７】
2010274107.tif 000009
【図８】
2010274107.tif 000010
【図９】
2010274107.tif 000011
【図１０】
2010274107.tif 000012
【図１１】
2010274107.tif 000013
【図１２】
2010274107.tif 000014
【図１３】
2010274107.tif 000015
【図１４】
2010274107.tif 000016
【図１５】
2010274107.tif 000017
【図１６】
2010274107.tif 000018
【図１７】
2010274107.tif 000019
【図１８】
2010274107.tif 000020
【図１９】
2010274107.tif 000021
【図２０】
2010274107.tif 000022
【図２１】
2010274107.tif 000023